(57)【要約】【課題】按摩動作選択伝動構造の提供。【解決手段】一対の相互に対応するケース、ケース内に設けられた第１伝動部、ケースの一側に横設された第２伝動部を具え、第１伝動部が軸棒と、軸棒両端の所定部分に套設された上下の伝動回転輪を具え、該上下の伝動回転輪内にそれぞれ単方向運転し作用方向が反対の軸受手段が嵌め込まれ、該軸棒がモータで駆動され、第２伝動部は上下の伝動回転輪と螺合し伝動する上下の歯車を具え、該上下の歯車の軸心部分に揉み棒と背中叩き棒が設けられ、軸棒がモータで駆動され時計回り或いは逆時計回りに回転する時、それぞれそのうちの一つの上下の伝動回転輪を駆動し、揉み棒或いは背中叩き棒に伝動して選択的に按摩動作を行う。【選択図】　　　　図３
2004113310.tif 000002
【特許請求の範囲】
【請求項１】
第１伝動部と第２伝動部が組み付けられた一対のケースを具え、モータを利用して第１伝動部に伝動し、第１伝動部の上下の伝動回転輪に連結された揉み棒と背中叩き棒をそれぞれ動作させる按摩動作選択伝動構造において、
該第１伝動部の上下の伝動回転輪にそれぞれ単方向モータが設けられて、モータの正回転、逆回転によりそれぞれ伝動することを特徴とする、按摩動作選択伝動構造。
【発明の詳細な説明】
【０００１】
【発明の属する技術分野】
本発明は一種の按摩動作選択伝動構造に係り、特に一対の、機能が反対の単方向軸受作用により按摩動作変換を順調に行えるようにする、按摩動作選択伝動構造に関する。
【０００２】
【従来の技術】
生活品質の不断の向上に伴い、人々は日常の屋外レジャーを重視するだけでなく、屋内生活でも疲れた筋肉を休めて調整を行うようになった。且つ一般に年をとるにつれて、筋肉痛等の症状が現れるため、按摩により疲労を解消する必要が生じ、このため市場には各種の按摩機が提供されている。しかし、一般に、機能があまりに簡単であるものは自動化程度が不足し、使用者の要求に符合しない。本件発明者はこれを鑑み、すでに背中を叩くのと揉む、二種類の動作を行う按摩機を提供している。図１に示されるように、その按摩機は、椅子の背もたれＺに取り付けられ、
駆動機構Ａとされ、第１モータＡ１と第２モータＡ２、これらモータに駆動され時計回り或いは逆時計回りに回転するスクリューロッドＡ３及び六角軸棒Ａ４を具えた、上記駆動機構Ａと、
滑動機構Ｂとされ、一対のスライドレールＢ１とスライドシートＢ２を具え、スライドシートＢ２に前述のスクリューロッドＡ３と螺合するスクリューシートＢ３が固定され、スクリューロッドＡ３が時計回り或いは逆時計回りに回転する時、全体のスライドシートＢ２を駆動してスライドレールＢ１上で上下に滑動させる、上記滑動機構Ｂと、
伝動機構Ｃとされ、滑動機構ＢのスライドシートＢ２上に固定され、並びに上述の六角軸棒Ａ４に軸で連接され、軸棒Ａ４が時計回りに回転する時、該伝動機構Ｃ下方に設けられた偏心設計の背中叩き棒Ｃ１が駆動され、別に該軸棒Ａ４が逆時計回りに回転する時、上方に設けられたもう一つの偏心で且つ斜めの揉み棒Ｃ２が回転する、上記伝動機構Ｃと、
作動機構Ｄとされ、前述の伝動機構Ｃの両側に取り付けられ、一対のスイングアームＤ１、一対のプルアームＤ２、及び一対の按摩輪Ｄ３を具え、該スイングアームＤ１の一端が前述の揉み棒Ｃ２に枢接され、もう一端が按摩輪Ｄ３に枢設され、プルアームＤ２の両端がそれぞれスイングアームＤ１の中央部分及び前述の背中叩き棒Ｃ１に枢設されている、上記作動機構Ｄと、
を具え、以上の機構が組み合わされ、背中叩きと揉みの按摩動作を行う。
【０００３】
上述の伝動機構Ｃは、背中叩きと揉み動作を選択する制御装置とされ、選択動作時に、その歯と歯の噛み合い時差により往々にして噛み合いが不確実となり、並びに按摩動作時に歯の衝突により騒音を発生する。本発明者はこの問題を解決するため、上述の伝動機構Ｃに対して改良を行った。
【０００４】
図２に示されるように、伝動機構Ｃは二つのケースＣ３内に、複数の、六角軸棒Ａ４と軸装を形成する手段が設けられ、それは、内壁にネジ山が形成された腔室Ｃ４、及び外壁が該腔室Ｃ４と螺合し並びに上下に回転する主動回転輪Ｃ５を具え、該回転輪Ｃ５内部に六角柱状中空が形成され、六角軸棒Ａ４が設けられ且つ駆動されて回転し、別に該腔室Ｃ４の上方と下方に位置する二つの従動回転輪Ｃ６、Ｃ７が設けられ、これらの従動回転輪Ｃ６、Ｃ７がそれぞれ両者と噛み合う二つの歯車Ｃ８、Ｃ９を駆動し、そのうち、歯車Ｃ８の軸心部分に揉み棒Ｃ２が設けられ、もう一つの歯車Ｃ９の軸心部分に背中叩き棒Ｃ１が設けられている。主動回転輪Ｃ５が六角軸棒Ａ４に駆動されて該腔室Ｃ４内で回転する時、上向き或いは下向きに螺旋動作し並びに従動回転輪Ｃ６、Ｃ７の一つと噛み合い、このとき、これら歯車Ｃ８、Ｃ９の軸心部分に設けられた揉み棒Ｃ２或いは背中叩き棒Ｃ１の回転運動を形成する。按摩動作選択時には、主動回転輪Ｃ５の上下螺旋動作を利用し、その上下の歯Ｃ５１、Ｃ５２がそれぞれ従動回転輪Ｃ６、Ｃ７の一つの歯Ｃ６１、Ｃ７１と噛み合わせ、按摩動作を選択し伝動し、ゆえに按摩動作を選択し伝動する時、その主動回転輪Ｃ５と二つの従動回転輪Ｃ６、Ｃ７の噛み合いが、往々にして接触して噛み合いにくく（二つの従動回転輪Ｃ６、Ｃ７はもともと静止状であり、主動回転輪Ｃ５が上或いは下向きに噛み合う瞬間に組合せ時差を発生するため、衝突後に更に歯が噛み合う）、ゆえに噛み合う瞬間に歯の騒音を発生し、さらに瞬間的衝突振動を発生する。さらに、主動回転輪Ｃ５と二つの従動回転輪Ｃ６、Ｃ７の間の噛み合い部分に衝突による損壊が発生しやすく、その使用寿命が短くなった。
【０００５】
【発明が解決しようとする課題】
本発明者は上述の按摩機の按摩動作選択時に発生する歯の衝突、噛み合わせ不確実及び発生する騒音の問題を解決するため本発明を提供する。
【０００６】
すなわち、本発明の主要な目的は、一種の按摩動作選択伝動構造を提供することにあり、それは、一対の、作用方向が反対の単方向軸受を利用し、按摩動作変換動作を順調に行えるようにしたものとする。
【０００７】
本発明の特徴は、伝動構造の第１伝動部に軸棒が設けられ、該軸棒の両端の所定の部分に、内部に単方向運転する軸受手段を嵌め込んだ上下の伝動回転輪が設けられ、軸棒が時計回り或いは逆時計回りに回転する時、上下の伝動回転輪の一方を駆動して回転させ、これによりその按摩動作を選択することにある。
【０００８】
ゆえに本発明の按摩動作選択伝動構造は、全体構造が按摩機のスライドシートに固定され、それは、一対の、相互に対応するケース、第１伝動部及び第２伝動部を具えている。そのうち、この一対のケースの合併後の上端と底端に相互に対応する縦向き軸孔が設けられ、並びに一側の上端と下端にそれぞれ横向き貫通孔が設けられている。第１伝動部は適当な長さを有する軸棒を具え、該軸棒にスリーブが套設され、該スリーブの両端それぞれに単方向軸受を嵌め込んだ上下の伝動回転輪が套設され、別に、この上下の伝動回転輪の外向き端に固定蓋が設けられ、並びに該固定蓋の内向き端にも軸受が設けられて位置決めに用いられる。軸棒に取り付けられた部品は、全体が前述の縦向き軸孔中に取り付けられ、軸棒の下向きの露出部分はモータと連動し、並びにそれが逆時計回りに回転させられる。第２伝動部は上下の歯車を具え、それはそれぞれ上下の横向き貫通孔中に置かれ、並びに前述の第１伝動部の上下の伝動回転輪とそれぞれ螺合し伝動し、並びに上下の歯車の軸心部分に揉み棒と背中叩き棒が固定されている。以上の構成要件の組合せにより、モータが軸棒を駆動してそれを時計回り或いは逆時計回りに回転させる時、上下の伝動回転輪の一方を駆動して回転させ、これにより上下の歯車の一方を牽引して動作させ、これにより按摩動作を選択する。
【０００９】
【課題を解決するための手段】
請求項１の発明は、第１伝動部と第２伝動部が組み付けられた一対のケースを具え、モータを利用して第１伝動部に伝動し、第１伝動部の上下の伝動回転輪に連結された揉み棒と背中叩き棒をそれぞれ動作させる按摩動作選択伝動構造において、
該第１伝動部の上下の伝動回転輪にそれぞれ単方向モータが設けられて、モータの正回転、逆回転によりそれぞれ伝動することを特徴とする、按摩動作選択伝動構造としている。
【００１０】
【発明の実施の形態】
図３に示されるのは本発明の実施例の按摩動作選択伝動構造１に設けられた按摩機１００であり、それは、駆動機構２００、滑動機構３００、伝動構造１及び作動機構４００を具えている。そのうち、前述の周知の按摩機と異なるのは、本発明は伝動構造１のモータ３７が滑動機構３００のスライドシート３０１上に固定され、それに伴い上下に滑動可能で、モータ３７に駆動される軸棒３０もまた比較的短少で且つ断面が円形状を呈することであるが、ただし、本発明の改良は、伝動部品を減少することだけでなく、前述の周知のモータが固定され不動の按摩機にも適用可能としたことにある。その他の全体組合せ構造、作動方式は従来の技術とほぼ同じであるため、説明は省略する。
【００１１】
図３、４に示されるように、本発明の伝動構造１の全体は按摩機１００のスライドシート３０１に固定され、それは一対の、相互に対応するケース２内に第１伝動部３、及び、第１伝動部３と螺合し伝動する第２伝動部４を具えている。
該一対のケース２は、合併後のその上端と底端に対応する縦向き軸孔２１が設けられ、並びに一側の上端と下端にそれぞれ横向き貫通孔２３、２４が設けられている。
【００１２】
第１伝動部３は適当な長さを有する軸棒３０を具え、該軸棒３０のほぼ中央部分に、上端と下端にそれぞれ内部に単方向運転を行う単方向軸受３２１、３３１が嵌め込まれた上下の伝動回転輪３２、３３が套設されている（図５参照）。別に、この上下の伝動回転輪３２、３３の外向き端に固定蓋３４が設けられ、並びに該固定蓋３４の内向き端にも軸受３４１が設けられて位置決めに用いられる。軸棒３０に取り付けられた部品は、全体が前述のケース２の縦向き軸孔２１中及び各ホルダ部２２に取り付けられ、軸棒３０の上端の上向きに露出した雄ネジ部が、ワッシャ３８に組み合わされてからナット３９で固定され、その下向きの露出部分は、適当な部分にキー溝３５が設けられ、並びにキー３５１が利用されてプーリ３６と固定され、モータ３７を利用し伝動を行う（図３参照）。上下の伝動回転輪３２、３３の外壁にはネジ山状及び歯車状部分が設けられ、ゆえに第２伝動部４を駆動できる。
【００１３】
第２伝動部４は、一対の、前述のケース２の上下の横向き貫通孔２３、２４に置かれる上下の歯車４１、４２を具え、そのうち上歯車４１の軸心部分に揉み棒４３が固定され、下歯車４２の軸心部分に背中叩き棒４４が固定されている。また、上下の歯車４１、４２の外端に一対の軸受４５が套設され、該揉み棒４３と背中叩き棒４４が横向きに該ケース２の両側を貫通し並びに作動機構４００と連動して揉み或いは叩く按摩動作を行う。また、上下の歯車４１、４２の外壁の歯形はそれぞれ前述の上下の伝動回転輪３２、３３と噛み合うよう形成され、それぞれ上下の歯車４１、４２を駆動してその按摩動作を選択する。
【００１４】
図３及び図５を参照されたい。按摩動作選択時には、スイッチを利用して該モータ３７の回転方向を制御し駆動する。該モータ３７がプーリ３６を時計回りに回転させる時、該プーリ３６とキー３５を利用して結合された軸棒３０が時計回りに回転する。本発明の特徴は以下のとおりである。軸棒３０に取り付けられた上下の伝動回転輪３２、３３内部に作用方向が反対の単方向軸受３２１、３３１が嵌め込まれ、時計回りに回転する時、上伝動回転輪３２を駆動して回転させ、下伝動回転輪３３は単方向軸受３３１の作用により該軸棒３０を単方向軸受３３１内で空転させ、その外周の下伝動回転輪３３を動作させない。同様に、逆時計回りに回転する時も、下伝動回転輪３３のみを駆動して回転させ、こうして按摩動作の変換の選択を行う。
【００１５】
本発明の構成要件間の動作方式について説明する。図５を参照されたい。軸棒３０の下端がモータ３７の駆動により時計回りに回転する時、該単方向軸受３２１が軸棒３０に係止され、一緒に上伝動回転輪３２を駆動して回転させ、下伝動回転輪３３はその内部の単方向軸受３３１の作用により回転不能とされ、この時、上伝動回転輪３２が回転し、これにより第２伝動部４の上歯車４１を駆動して回転させ、該上歯車４１の軸心部分に揉み棒４３が固定されているため、揉み棒４３が駆動されて回転し、さらに作動機構４００を牽引して動作させて、その揉みの按摩動作を発生する。もし軸棒３０がモータ３７に駆動されて逆時計回りに回転する時は、上伝動回転輪３２が内部の単方向軸受３２１の作用により空転し、この時、軸棒３０は下伝動回転輪３３を駆動して回転させ、並びに下歯車４２の軸心部分の背中叩き棒４４を駆動して回転させ、背中叩きの按摩動作を行う。
【００１６】
以上の伝動構造１の動作説明から分かるように、按摩動作選択時において、その伝動方式は周知のものが歯と歯の噛み合わせ方式を利用していたのとは異なり、ゆえに本発明の伝動方式は以下のような優れた点を有している。すなわち、本発明の按摩動作選択伝動構造は、モータの時計回りを利用して直接軸棒を駆動して時計回りに回転させる時、スクリューロッドに套設された上下の伝動回転輪内にそれぞれ固定された、作用方向が相反する単方向軸受の作用により、按摩動作選択を制御し、その伝動の部品は相対的に減少され、且つ按摩動作選択方面でも周知の技術における歯と歯の間の噛み合わせの不確実或いは変換時の歯と歯の不確実な噛み合いにより発生する騒音の問題を有さず、またその噛み合わせ部の歯の損害の恐れがなく、またその使用寿命が減少することがない。
【００１７】
【発明の効果】
総合すると、本発明の提供する按摩動作選択伝動構造は、所定の発明目的を達成し、並びに従来の技術よりも機能上の増進を有している。ゆえに本発明は進歩性を有している。また、本発明の全体構造及び組合せ方式は従来の技術にはなく、またその出願前に公開されておらず、新規性を有している。ゆえに本発明は特許の要件に符合する。なお、本発明の実施例は本発明の実施範囲を限定するものではなく、本発明に基づきなしうる細部の修飾或いは改変は、いずれも本発明の請求範囲に属するものとする。
【図面の簡単な説明】
【図１】周知の按摩機の立体図である。
【図２】周知の按摩機の伝動機構断面図である。
【図３】本発明の実施例を按摩機に固定した立体外観図である。
【図４】本発明の実施例の部分立体分解図である。
【図５】本発明の実施例の断面図である。
【符号の説明】
１　伝動構造
１００　按摩機
２００　駆動機構
３００　滑動機構
４００　作動機構
３７　モータ
３０１　スライドシート
２　ケース
３　第１伝動部
４　第２伝動部
２１　縦向き軸孔
２３、２４　横向き貫通孔
３０　軸棒
３２１、３３１　単方向軸受
３２、３３　伝動回転輪
３４　固定蓋
３４１　軸受
２２　ホルダ部
３８　ワッシャ
３９　ナット
３５　キー溝
３５１　キー
３６　プーリ
４１、４２　歯車
４３　揉み棒
４４　背中叩き棒
４５　軸受
【図１】
2004113310.tif 000003
【図２】
2004113310.tif 000004
【図３】
2004113310.tif 000005
【図４】
2004113310.tif 000006
【図５】
2004113310.tif 000007